(57)【特許請求の範囲】
【請求項１】
複数の電話端末が接続され複数の回線を有するＩＰ（Internet Protocol）網を接続可能で、前記複数の電話端末間の通信接続を実行する主装置において、
前記複数の電話端末のうちの少なくとも一部を前記ＩＰ網中の少なくとも１つの回線を共有するグループとし、このグループに属する第１の電話端末にて前記回線を使用して通信接続がなされる時に、前記第１の電話端末及び当該グループに属し前記第１の電話端末とは異なる第２の電話端末に対し前記通信接続の旨を通知するために必要な制御信号を送信する制御信号送信手段と、
少なくとも自装置の輻輳を監視する輻輳監視手段と、
この輻輳監視手段による輻輳監視結果に基づいて、前記制御信号送信手段に対し前記第２の電話端末への前記制御信号の送信処理の実行・停止を制御する制御手段とを具備したことを特徴とする主装置。
【請求項２】
前記制御手段は、前記輻輳監視手段により得られる輻輳レベルが所定レベル以上であると判定した場合に、前記制御信号送信手段に対し前記第２の電話端末への前記制御信号の送信処理の停止制御を行うことを特徴とする請求項１記載の主装置。
【請求項３】
前記制御手段は、前記制御信号送信手段に対する前記第２の電話端末への前記制御信号の送信処理の停止制御後に、前記輻輳監視手段により得られる輻輳レベルが所定レベル未満であると判定した場合に、前記制御信号送信手段に対し前記第２の電話端末への前記制御信号の送信処理の実行制御を行うことを特徴とする請求項２記載の主装置。
【請求項４】
前記制御手段は、前記制御信号送信手段に対する前記第２の電話端末への前記制御信号の送信処理の停止制御後に、前記第２の電話端末にて前記回線の使用要求が発生した場合に、前記第２の電話端末に対し前記回線の空／塞の状態を示す情報を通知することを特徴とする請求項２記載の主装置。
【請求項５】
前記制御信号送信手段は、
前記ＩＰ網を接続する回線接続部と、
この回線接続部に対しデータハイウェイを介して接続され、前記第１の電話端末にて前記回線を使用して通信接続がなされる時に、前記第１の電話端末及び前記第２の電話端末に対し前記制御信号を前記データハイウェイ及び前記回線ドライバを介して送信する呼制御処理部とを備え、
前記制御手段は、前記輻輳監視手段による輻輳監視結果に基づいて、前記呼制御処理部に対し前記第２の電話端末への前記制御信号の送信処理の実行・停止を制御することを特徴とする請求項１記載の主装置。
【請求項６】
前記制御信号送信手段は、前記第１の電話端末にて前記回線を捕捉する発信操作がなされる時に、前記第１の電話端末及び前記第２の電話端末に対し前記制御信号を送信することを特徴とする請求項１記載の主装置。
【請求項７】
前記制御信号送信手段は、前記回線を介して前記グループ宛の着信呼が到来した時に、前記第１の電話端末及び前記第２の電話端末に対し前記制御信号を送信することを特徴とする請求項１記載の主装置。
【請求項８】
前記制御信号送信手段は、前記第１の電話端末及び前記第２の電話端末に対しＳＩＰ（Session Initiation Protocol）で規定される制御信号を送信することを特徴とする請求項１記載の主装置。
【請求項９】
複数の電話端末が接続され複数の回線を有するＩＰ（Internet Protocol）網を接続可能で、前記複数の電話端末間の通信接続を実行する主装置で使用される制御信号分配規制方法において、
少なくとも前記主装置の輻輳を監視し、
前記複数の電話端末のうちの少なくとも一部を前記ＩＰ網中の少なくとも１つの回線を共有するグループとし、このグループに属する第１の電話端末にて前記回線を使用して通信接続がなされる時に、前記輻輳監視結果から輻輳レベルが所定レベル未満である場合に、前記第１の電話端末及び当該グループに属し前記第１の電話端末とは異なる第２の電話端末に対し前記通信接続の旨を通知するために必要な制御信号を送信し、
前記輻輳監視結果から輻輳レベルが所定レベル以上である場合に、前記第２の電話端末への前記制御信号の送信処理を停止することを特徴とする制御信号分配規制方法。
【発明の詳細な説明】
【技術分野】
【０００１】
この発明は、例えばＩＰ(Internet Protocol)電話システムに用いられる主装置、この主装置で使用される制御信号分配規制方法に関する。
【背景技術】
【０００２】
近年、ＩＰ網を介して、双方向に画像や音声をパケットデータとして、リアルタイムに送受信するＩＰ電話システムが普及し始めている。このＩＰ電話システムでは、ＩＰ網に接続される各主装置ごとに内線間通信や外線発着信を行えることは勿論のこと、ＩＰ網を経由した主装置間での内線通信や外線発着信を行うことができる。
【０００３】
ところで、上記主装置では、ある端末Ａにてユーザが［回線］ボタンを押下して発信操作を行なった場合に、同一の［回線］ボタンが登録された端末Ｂ及び端末Ｃに対して、ＮＯＴＩＦＹメッセージを送信して、呼状態に応じて［回線］ボタンのＬＥＤ（Light Emitting Diode）制御またはＬＣＤ（Liquid Crystal Display）制御を行うようにしている。また、同一の［回線］ボタンが登録されたグループ宛の着信呼をグループ内の端末に分配するマルチアピアランスの場合にも、ＮＯＴＩＦＹメッセージを送信して、呼状態に応じて［回線］ボタンのＬＥＤ制御またはＬＣＤ制御を行うようにしている。
【０００４】
ところで、上記ＩＰ電話システムでは、主装置をＩＰ網上の多数の端末及びパーソナル・コンピュータ等により共有することになり、主装置が輻輳状態になることが十分に予想される。主装置が輻輳状態になると、発着信に応じた端末間の通信接続等のサービスに対しリアルタイム性を損なう等の影響を与えることになる。
【０００５】
そこで、従来では、通信システムにおいて、ＳＩＰサーバが輻輳を監視し、輻輳中に規制有りの場合、優先登録されているもの以外は発着信全てを規制することにより、システムの負荷を低減する手法が提案されている（例えば、特許文献１）。
【特許文献１】特開２００７−１８４７９８公報。
【発明の開示】
【発明が解決しようとする課題】
【０００６】
ところで、ＩＰ電話システムにおいて、主装置が輻輳状態の時であっても、少なくとも発着信に係わるサービスに対しては効率良く処理できる手法が強く望まれている。
【０００７】
そこで、この発明の目的は、システムが輻輳状態であっても、各ユーザに対し発着信に係わるサービスを規制することなく提供し続け、さらに輻輳状態から定常状態への早急な復旧に寄与し得る主装置及び制御信号分配規制方法を提供することにある。
【課題を解決するための手段】
【０００８】
上記目的を達成するために、この発明に係る主装置は、複数の電話端末が接続され複数の回線を有するＩＰ（Internet Protocol）網を接続可能で、複数の電話端末間の通信接続を実行する主装置において、複数の電話端末のうちの少なくとも一部をＩＰ網中の少なくとも１つの回線を共有するグループとし、このグループに属する第１の電話端末にて回線を使用して通信接続がなされる時に、第１の電話端末及び当該グループに属し第１の電話端末とは異なる第２の電話端末に対し通信接続の旨を通知するために必要な制御信号を送信する制御信号送信手段と、少なくとも自装置の輻輳を監視する輻輳監視手段と、この輻輳監視手段による輻輳監視結果に基づいて、制御信号送信手段に対し第２の電話端末への制御信号の送信処理の実行・停止を制御する制御手段とを備えるようにしたものである。特に、制御手段は、輻輳監視手段により得られる輻輳レベルが所定レベル以上であると判定した場合に、制御信号送信手段に対し第２の電話端末への前記制御信号の送信処理の停止制御を行うことを特徴とする。
【０００９】
この構成によれば、少なくとも主装置の輻輳状態が監視され、輻輳レベルが所定レベル以上つまり輻輳状態にある時に、グループに属する第１の電話端末にて回線を使用して通信接続がなされる場合に、第１の電話端末にのみＬＥＤ制御またはＬＣＤ制御に必要な制御信号が送信されることになり、同じグループに属する第２の電話端末へは制御信号が送信されないことになる。
【００１０】
このため、輻輳状態にあるときに、信号伝送量が低減されてＩＰ網上のトラフィックを低減することができ、これにより各電話端末のユーザに対し発着信に係わるサービスを規制することなく提供し続けることができ、さらに輻輳状態から定常状態への早急な復旧に寄与できる。
【００１１】
また、この発明に係る制御手段は、制御信号送信手段に対する第２の電話端末への制御信号の送信処理の停止制御後に、輻輳監視手段により得られる輻輳レベルが所定レベル未満であると判定した場合に、制御信号送信手段に対し第２の電話端末への制御信号の送信処理の実行制御を行うことを特徴とする。
【００１２】
この構成によれば、主装置の輻輳状態が定常状態に復旧した場合には、停止していた第２の電話端末への制御信号の送信処理を自動的に復旧するようにしている。このため、例えば主装置の輻輳状態が一時的なものでその後に正常に戻った場合に、保守員の復旧操作を待たずに停止していた第２の電話端末への制御信号の送信処理を早急に復旧させることができる。
【００１３】
また、この発明に係る制御手段は、制御信号送信手段に対する第２の電話端末への制御信号の送信処理の停止制御後に、第２の電話端末にて回線の使用要求が発生した場合に、第２の電話端末に対し回線の空／塞の状態を示す情報を通知することを特徴とする。
【００１４】
この構成によれば、輻輳状態により第２の電話端末への制御信号の送信処理が停止している場合でも、第２の電話端末のユーザは少なくとも自身が要求した回線が空きであるか塞がっているかを確認することができる。
【００１５】
この発明に係る制御信号送信手段は、ＩＰ網を接続する回線接続部と、この回線接続部に対しデータハイウェイを介して接続され、第１の電話端末にて回線を使用して通信接続がなされる時に、第１の電話端末及び第２の電話端末に対し制御信号をデータハイウェイ及び回線ドライバを介して送信する呼制御処理部とを備え、制御手段は、輻輳監視手段による輻輳監視結果に基づいて、呼制御処理部に対し第２の電話端末への制御信号の送信処理の実行・停止を制御することを特徴とする。
【００１６】
この構成によれば、輻輳状態にあるときに、さらにデータハイウェイにおける信号伝送量が低減されてＩＰ網上及びデータハイウェイ上のトラフィックを低減することができ、これにより主装置内においてデータハイウェイのトラフィックが低減される分、他の処理を効率良く実行できる。
【発明の効果】
【００１７】
以上詳述したようにこの発明によれば、システムが輻輳状態であっても、各ユーザに対し発着信に係わるサービスを規制することなく提供し続け、さらに輻輳状態から定常状態への早急な復旧に寄与し得る主装置及び制御信号分配規制方法を提供することができる。
【発明を実施するための最良の形態】
【００１８】
以下、この発明の実施形態について図面を参照して詳細に説明する。  
（第１の実施形態）  
図１は、この発明の第１の実施形態に係わるＩＰ電話システムの概略構成図であり、１は主装置を示している。この主装置１は、ＳＩＰ網ＮＷを介して複数のボタン電話機Ｔ１〜Ｔｎ（ｎは自然数）を収容している。
【００１９】
図２は、主装置１の機能構成を示すブロック図である。  
すなわち、主装置１は、ＳＩＰ回線ドライバ１１と、このＳＩＰ回線ドライバ１１に対しデータハイウェイ１２を介して接続される呼制御処理部１３と、輻輳状態監視部１４とを備えている。また、ＳＩＰ回線ドライバ１１は、ＳＩＰ回線インタフェース部（ＳＩＰ回線Ｉ／Ｆ）１１１と、呼制御インタフェース部（呼制御Ｉ／Ｆ）１１２と、輻輳管理部１１３とを備えている。
【００２０】
ＳＩＰ回線インタフェース部１１１は、ＳＩＰ網ＮＷとの間のインタフェース処理を行うものである。また、ＳＩＰ回線インタフェース部１１１は、複数のボタン電話機Ｔ１〜ＴｎのうちＳＩＰ網ＮＷ中の少なくとも１つの回線を共有する例えばボタン電話機Ｔ１，Ｔ２，Ｔ３を１つのグループとして管理する。
【００２１】
呼制御インタフェース部１１２は、データハイウェイ１２を介して呼制御処理部１３との間のインタフェース処理を行うものである。
【００２２】
呼制御処理部１３は、発着信制御や着信転送制御、各ボタン電話機Ｔ１〜Ｔｎの状態の通知制御等を行う。
【００２３】
輻輳状態監視部１４は、例えば単位時間当たりのデータハイウェイ１２またはＳＩＰ網ＮＷ上のデータ伝送量、または単位時間当たりのＳＩＰ回線ドライバ１１または呼制御処理部１３の処理量を表す輻輳レベルを定期的に監視してその監視情報をＳＩＰ回線ドライバ１１の輻輳管理部１１３に出力する。
【００２４】
輻輳管理部１１３は、上記輻輳状態監視部１４から出力される監視情報に基づいて、輻輳レベルが所定レベルｄｄ以上になったか否かを判定し、所定レベルｄｄ以上の場合に、輻輳状態の旨を示す情報を呼制御処理部１３に通知して各ボタン電話機Ｔ１〜Ｔｎに対するサービス提供に必要な制御信号を必要最小限に抑制する。なお、輻輳レベルが０の場合は、データハイウェイ１２またはＳＩＰ網ＮＷ、ＳＩＰ回線ドライバ１１または呼制御処理部１３が空きの状態を示し、０からｄｄの間は主装置１が定常状態であることを示し、ｄｄ以上は主装置１が輻輳状態であることを示す。
【００２５】
また、輻輳管理部１１３は、輻輳状態の復旧監視対応機能を備えている。この復旧監視対応機能は、上記輻輳状態監視部１４から出力される監視情報に基づいて、主装置１が輻輳状態から定常状態へ回復したか否かを判定し、回復の場合に、抑制していた制御信号の分配を再開する。
【００２６】
次に、以上のように構成されたシステムの動作を説明する。  
図３は、発信時における主装置１の処理制御手順を示すフローチャートである。
【００２７】
今、図４に示すように、ボタン電話機Ｔ１において、ユーザが[回線１]ボタンを押下したとする。そうすると、ボタン電話機Ｔ１からその要求信号となるＰＵＢＬＩＳＨメッセージが主装置１に送られる。
【００２８】
主装置１は、このＰＵＢＬＩＳＨメッセージを受信すると（ステップＳＴ３ａ）、輻輳管理部１１３から取得した現在の輻輳状態を判定する（ステップＳＴ３ｂ）。そして、この判定結果から輻輳レベルが所定レベル以上であるか否かの判断を行う（ステップＳＴ３ｃ）。
【００２９】
ここで、輻輳レベルが所定レベル未満である場合（Ｎｏ）、主装置１はボタン電話機Ｔ１にＮＯＴＩＦＹメッセージを送信するとともに、同一[回線１]ボタンが予め登録されたボタン電話機Ｔ２，Ｔ３に対して、ＮＯＴＩＦＹメッセージ送信により呼状態に応じて[回線１]ボタンのＬＥＤ制御を行う（ステップＳＴ３ｄ）。
【００３０】
一方、輻輳レベルが所定レベル以上、つまり主装置１が何らかの輻輳状態であると判断された場合、主装置１はステップＳＴ３ｃからステップＳＴ３ｅに移行してここでボタン電話機Ｔ１から送信されたＰＵＢＬＩＳＨメッセージに輻輳状態を示す拡張情報を付加して、呼制御インタフェース部１１２を介して呼制御処理部１３に通知する。
【００３１】
ＰＵＢＬＩＳＨメッセージを受信した呼制御処理部１３は、輻輳状態を示すデータが付加されていた場合は、図５に示すように、該当回線の空塞状態の更新は行うが、[回線１]ボタンのＬＥＤ制御用に送信するＮＯＴＩＦＹメッセージの宛先を、操作端末であるボタン電話機Ｔ１のみとし、同一[回線１]ボタンを持つボタン電話機Ｔ２，Ｔ３に対してはＬＥＤ制御用のメッセージはいっさい送信しない。
【００３２】
この状態で例えばボタン電話機Ｔ２のユーザが、消灯されている[回線１]ボタンを押下したとする。そうすると主装置１の呼制御処理部１３は、ステップＳＴ３ｆからステップＳＴ３ｇに移行してここでボタン電話機Ｔ２に対し［回線１］の空／塞を示す情報を通知してＬＣＤ表示器に表示させる。従って、この表示によりユーザは希望する［回線１］が使用されているか否かを知ることができる。
【００３３】
上記状態で、輻輳状態監視部１４からの監視情報により輻輳レベルが所定レベル未満と判定されると、主装置１は、図６に示すように、ステップＳＴ３ｈからステップＳＴ３ｉに移行してここで呼制御インタフェース部１１２を介して呼制御処理部１３に輻輳復旧通知用のメッセージを送信し、[回線１]ボタンのＬＥＤ制御に関するリフレッシュ処理を行う。これによりボタン電話機Ｔ２，Ｔ３に対しＮＯＴＩＦＹメッセージが供給されＬＥＤを点灯させる。従って、この点灯によりボタン電話機Ｔ２，Ｔ３のユーザは[回線１]が使用中であることを知ることができる。
【００３４】
なお、上記ステップＳＴ３ｈにおいて、輻輳レベルが所定レベル以上である場合（Ｎｏ）、主装置１は輻輳レベルが所定レベル未満となるまで、上記ステップＳＴ３ｅ乃至ステップＳＴ３ｈの処理を繰り返し実行する。
【００３５】
以上のように上記第１の実施形態では、輻輳状態監視部１４により主装置１の輻輳状態を監視し、この輻輳レベルが所定レベル以上つまり輻輳状態にある時に、［回線１］を使用するように登録したグループに属するボタン電話機Ｔ１にて［回線１］を使用して発信操作がなされる場合に、呼制御処理部にてボタン電話機Ｔ１にのみＬＥＤ制御に必要な制御信号を送信するようにし、同じグループに属するボタン電話機Ｔ２，Ｔ３への制御信号の送信を停止するようにしている。
【００３６】
このため、輻輳状態にあるときに、データハイウェイ１２及びＳＩＰ網ＮＷにおける信号伝送量が低減されてデータハイウェイ１２及びＳＩＰ網ＮＷ上のトラフィックを低減することができ、これにより各ボタン電話機Ｔ１，Ｔ２、Ｔ３に対し発着信に係わるサービスを規制することなく提供し続けることができ、さらに輻輳状態から定常状態への早急な復旧に寄与できる。
【００３７】
また、上記第１の実施形態では、主装置１の輻輳状態が定常状態に復旧した場合に、呼制御処理部１３にて停止していたボタン電話機Ｔ２，Ｔ３への制御信号の送信処理を自動的に再開するようにしている。このため、例えば主装置１の輻輳状態が一時的なものでその後に正常に戻った場合に、保守員の復旧操作を待たずに停止していたボタン電話機Ｔ２，Ｔ３への制御信号の送信処理を早急に復旧させることができる。
【００３８】
さらに、上記第１の実施形態では、輻輳状態によりボタン電話機Ｔ２，Ｔ３への制御信号の送信処理が停止し、ボタン電話機Ｔ２，Ｔ３の［回線１］ボタンのＬＥＤが消灯されている場合に、ボタン電話機Ｔ２のユーザが［回線１］ボタンを押下すると、ボタン電話機Ｔ２に対し［回線１］の空／塞を示す情報が通知されることになるので、ボタン電話機Ｔ２のユーザは少なくとも自身が要求した回線が空きであるか塞がっているかを確認することができる。
【００３９】
（第２の実施形態）  
この発明の第２の実施形態は、グループ内のボタン電話機Ｔ１，Ｔ２，Ｔ３に対する一斉呼び出しを行なうマルチアピアランスが実行された場合にも適用できるようにしたものである。
【００４０】
いま例えば、図７に示すように、外部端末ＴＴ１の発信に応じて発信電話番号を含む着信呼が主装置１に到来したとする。
【００４１】
そうすると、主装置１は、図８に示す制御処理手順を実行する。すなわち、主装置１は、着信呼を受信すると（ステップＳＴ８ａ）、ここで着信呼から着信先がグループ１に属するボタン電話機Ｔ１，Ｔ２，Ｔ３であることを判定する。
【００４２】
一方、主装置１は輻輳管理部１１３から取得した現在の輻輳状態を判定する（ステップＳＴ８ｂ）。そして、この判定結果から輻輳レベルが所定レベル以上であるか否かの判断を行う（ステップＳＴ８ｃ）。
【００４３】
ここで、輻輳レベルが所定レベル未満である場合（Ｎｏ）、主装置１はボタン電話機Ｔ１に着信報知用のＮＯＴＩＦＹメッセージを送信するとともに、ボタン電話機Ｔ２，Ｔ３に対して、着信報知用のＮＯＴＩＦＹメッセージ送信により呼状態に応じて[回線１]ボタンのＬＥＤ制御を行う（ステップＳＴ８ｄ）。
【００４４】
一方、輻輳レベルが所定レベル以上、つまり主装置１が何らかの輻輳状態であると判断された場合、主装置１はステップＳＴ８ｃからステップＳＴ８ｅに移行してここで着信報知用のＮＯＴＩＦＹメッセージを送信するように予め決められたボタン電話機Ｔ１に対しＮＯＴＩＦＹメッセージを送信し、ボタン電話機Ｔ１から送信された応答メッセージに輻輳状態を示す拡張情報を付加して、呼制御インタフェース部１１２を介して呼制御処理部１３に通知する。
【００４５】
応答メッセージを受信した呼制御処理部１３は、輻輳状態を示すデータが付加されていた場合は、該当回線の空塞状態の更新は行うが、[回線１]ボタンのＬＥＤ制御用に送信するＮＯＴＩＦＹメッセージの宛先を、ボタン電話機Ｔ１のみとし、同一[回線１]ボタンを持つボタン電話機Ｔ２，Ｔ３に対してはＬＥＤ制御用のメッセージはいっさい送信しない。
【００４６】
この状態で例えばボタン電話機Ｔ２のユーザが、消灯されている[回線１]ボタンを押下したとする。そうすると主装置１の呼制御処理部１３は、ステップＳＴ８ｆからステップＳＴ８ｇに移行してここでボタン電話機Ｔ２に対し［回線１］の空／塞を示す情報を通知してＬＣＤ表示器に表示させる。従って、この表示によりユーザは希望する［回線１］が使用されているか否かを知ることができる。
【００４７】
上記状態で、輻輳状態監視部１４からの監視情報により輻輳レベルが所定レベル未満と判定されると、主装置１は、ステップＳＴ８ｈからステップＳＴ８ｉに移行してここで呼制御インタフェース部１１２を介して呼制御処理部１３に輻輳復旧通知用のメッセージを送信し、[回線１]ボタンのＬＥＤ制御に関するリフレッシュ処理を行う。これによりボタン電話機Ｔ２，Ｔ３に対しＮＯＴＩＦＹメッセージが供給されＬＥＤを点灯させる。従って、この点灯によりボタン電話機Ｔ２，Ｔ３のユーザは[回線１]が使用中であることを知ることができる。
【００４８】
なお、上記ステップＳＴ８ｈにおいて、輻輳レベルが所定レベル以上である場合（Ｎｏ）、主装置１は輻輳レベルが所定レベル未満となるまで、上記ステップＳＴ８ｅ乃至ステップＳＴ８ｈの処理を繰り返し実行する。
【００４９】
以上のように上記第２の実施形態であっても、上記第１の実施形態と同様に、輻輳状態にあるときに、データハイウェイ１２及びＳＩＰ網ＮＷにおける信号伝送量が低減されてデータハイウェイ１２及びＳＩＰ網ＮＷ上のトラフィックを低減することができ、これにより各ボタン電話機Ｔ１，Ｔ２、Ｔ３に対し発着信に係わるサービスを規制することなく提供し続けることができ、さらに輻輳状態から定常状態への早急な復旧に寄与できる。
【００５０】
（その他の実施形態）  
この発明は、上記各実施形態に限定されるものではない。例えば上記第１及び第２の実施形態では、ＳＩＰ回線ドライバと呼制御処理部との間をデータハイウェイにより接続する例について説明したが、これに限ることなく、ＳＩＰ回線ドライバ及び呼制御処理部が一体のものであってもよい。この場合、ＮＯＴＩＦＹメッセージ等の制御信号は、主装置の外側で同一の回線を登録した複数のボタン電話機に分配されることになる。
【００５１】
また、上記第１の実施形態では、発信におけるサービス、第２の実施形態ではマルチアピアランスにおけるサービスに適用する例について説明したが、例えば保留された後に一定時間経過して保留解除がなされない場合に、保留元に対し呼び返しを行なうための制御信号を送信し、他のボタン電話機には制御信号を送信しないようにしてもよい。
【００５２】
さらに、上記各実施形態では、ＳＩＰ網に接続されるボタン電話機を例に説明したが、ＩＰ網に接続されるボタン電話機であっても同様に適用できる。
【００５３】
その他、システムの構成及び種類、主装置の機能構成、ボタン電話機等の端末の種類、輻輳時の制御信号の分配規制手順及びその内容等についても、この発明の要旨を逸脱しない範囲で種々変形して実施できる。
【図面の簡単な説明】
【００５４】
【図１】この発明の第１の実施形態に係わるＩＰ電話システムの概略構成図。
【図２】上記図１に示した主装置の機能構成を示すブロック図。
【図３】同第１の実施形態において、発信時における主装置の処理制御手順を示すフローチャート。
【図４】同第１の実施形態において、定常状態時の制御信号の分配動作を説明するために示すシーケンス図。
【図５】同第１の実施形態において、輻輳状態時の制御信号の分配動作を説明するために示すシーケンス図。
【図６】同第１の実施形態において、輻輳状態から定常状態に復旧した時の制御信号の分配動作を説明するために示すシーケンス図。
【図７】この発明の第２の実施形態におけるマルチアピアランスの動作を説明するために示すシーケンス図。
【図８】同第２の実施形態において、マルチアピアランス時における主装置の処理制御手順を示すフローチャート。
【符号の説明】
【００５５】
１…主装置、１１…ＳＩＰ回線ドライバ、１２…データハイウェイ、１３…呼制御処理部、１４…輻輳状態監視部、１１１…ＳＩＰ回線インタフェース部、１１２…呼制御インタフェース部、１１３…輻輳管理部、Ｔ１〜Ｔｎ…ボタン電話機、ＮＷ…ＳＩＰ網。
【要約】
【課題】システムが輻輳状態であっても、各ユーザに対し発着信に係わるサービスを規制することなく提供し続け、さらに輻輳状態から定常状態への早急な復旧に寄与し得る主装置を提供する。
【解決手段】輻輳状態監視部１４により主装置１の輻輳状態を監視し、この輻輳レベルが所定レベル以上つまり輻輳状態にある時に、［回線１］を使用するように登録したグループに属するボタン電話機Ｔ１にて［回線１］を使用して発信操作がなされる場合に、呼制御処理部１３にてボタン電話機Ｔ１にのみＬＥＤ制御に必要な制御信号を送信するようにし、同じグループに属するボタン電話機Ｔ２，Ｔ３への制御信号の送信を停止するようにしている。
【選択図】      図５【図１】
0004327887.tif 000002
【図２】
0004327887.tif 000003
【図３】
0004327887.tif 000004
【図４】
0004327887.tif 000005
【図５】
0004327887.tif 000006
【図６】
0004327887.tif 000007
【図７】
0004327887.tif 000008
【図８】
0004327887.tif 000009